(57)【要約】【課題】身体にフィットして邪魔にならず、衣類との一体感があり見栄えがよく、携帯機器の重量感を軽減でき、様々なサイズの携帯機器を安定して保持できる汎用性を有し、携帯機器の出し入れがしやすい携帯機器保持具を提供する。【解決手段】体に巻いて使用する携帯機器保持具であって、携帯機器の保持部と、ベルト部とからなり、保持部は対向する前面部と後面部と、前面部と後面部を繋ぐ底部と、前面部と後面部の左右に延びる耳部とを有し、耳部にベルト部が連結されている。【選択図】  図１
2014090940.tif 000002
【特許請求の範囲】
【請求項１】
体に巻いて使用する携帯機器保持具であって、携帯機器の保持部とベルト部とからなり、該保持部は対向する前面部と後面部と、該前面部と該後面部を繋ぐ底部と、該前面部と該後面部の左右に延びる耳部とを有し、該耳部に該ベルト部が連結されていることを特徴とする携帯機器保持具
【請求項２】
前記保持部は、四隅を延伸して形成した耳部を有するシート体を二つに折ったもので、該耳部をとめることによって、携帯機器の挿入口と、折り返しの両サイドに一対の開口部とを形成したことを特徴とする請求項１に記載の携帯機器保持具
【請求項３】
前記耳部と前記ベルト部との連結の中心を結んだ線が保持した携帯機器の下端から５／９から８／９の間の位置にくることを特徴とする請求項１または２に記載の携帯機器保持具
【請求項４】
前記挿入口の前面側の長さは後面側の長さより長く形成されていることを特徴とする請求項２または３に記載の携帯機器保持具
【請求項５】
前記後面部は曲げる力がかかっても平面を維持できるような剛性を有することを特徴とする請求項１〜４のいずれかに記載の携帯機器保持具
【請求項６】
前記ベルト部または前記耳部のどちらか一方の端部は二重に形成されて留め具を有し、他方の端部には連結孔を有し、該連結孔を通して該留め具をとめることにより一方の端部が他方の端部を挟んだ状態で回動可能に連結されていることを特徴とする請求項１〜５のいずれかに記載の携帯機器保持具
【発明の詳細な説明】
【技術分野】
【０００１】
本発明は、携帯電話やスマートフォン、ＰＤＡ、デジタルカメラ、携帯ゲーム、携帯音楽プレーヤー等の携帯機器を身につけて保持する携帯機器保持具に関するものである。
【背景技術】
【０００２】
携帯電話、スマートフォン、ＰＤＡ、デジタルカメラ、携帯音楽プレーヤー等の携帯機器は上着またはズボンのポケットに入れて携帯している人がほとんどであるが、スカートやワンピース等のポケットのない服が多い女性は携帯機器の持ち歩きに不便を感じている。また、衣類に取り付けて携帯電話を保持する保持具として特許文献１のような携帯電話を収納する箱状や袋状のケースをベルトに取り付ける収納具が以前より使用されている。
【先行技術文献】
【特許文献】
【０００３】
【特許文献１】特開平９−５６４３９
【発明の概要】
【発明が解決しようとする課題】
【０００４】
しかしながら昨今の携帯機器はタッチパネルを採用して視認性の面から画面が大型化しており、衣類のポケットに入れた場合、ポケットが膨らみ嵩張りを感じ、携帯機器の重さで衣服が引っ張られて重量感を感じ不快である。特許文献１のようなケース状の収納具は携帯機器が飛び出すのを防ぐため、スナップボタンや面ファスナー、ジッパー、磁石等でとめる上面を覆う蓋があり、携帯機器を収納する時や取り出す度毎にこの蓋の開け閉めが必要で使用時にすぐに取り出せないという問題があった。さらに、収納した携帯機器との間に隙間があると中で動いて安定しないため、収納具は個々の携帯機器にぴったりか少し小さめである必要があり出し入れがしにくかった。特許文献１のように側面を伸縮性部材等で調節可能に構成したものは厚さの異なる携帯機器は収納できるが幅の異なる携帯機器は収納できず、汎用性がないという問題点があった。また、取り付け場所がベルトやズボンの上端部等と限定され、ワンピース等の衣類には取り付けられなかった。また、ケース状の収納具は箱状で側面が体のラインから突出して浮き上がり、腕等が引っ掛かり邪魔になることがあった。衣類との一体感がなく、見栄えが悪く、衣服に別物を取り付けたような異物感が拭えなかった。このため特に女性においてはファッション上の理由からもほとんど使用されていないのが現状である。
【０００５】
そこで本発明は、上述の問題点を鑑み、創出されたもので、衣類に制限されずどのような衣類を着用していても使用でき、身体にフィットし邪魔にならず、衣類との一体感があり見栄えがよく、携帯機器の重量感を軽減でき、様々なサイズの携帯機器を安定して保持できる汎用性を有し、携帯機器を素早く容易に出し入れできる携帯機器保持具を提供することを目的とする。
【課題を解決するための手段】
【０００６】
上記の課題を解決するために、本発明は、以下の（１）〜（６）の携帯機器保持具を要旨とする。
（１）体に巻いて使用する携帯機器保持具であって、携帯機器の保持部とベルト部とからなり、該保持部は対向する前面部と後面部と、該前面部と該後面部を繋ぐ底部と、該前面部と該後面部の左右に延びる耳部とを有し、該耳部に該ベルト部が連結されていることを特徴とする携帯機器保持具
（２）前記保持部は、四隅を延伸して形成した耳部を有するシート体を二つに折ったもので、該耳部をとめることによって、携帯機器の挿入口と、折り返しの両サイドに一対の開口部とを形成したことを特徴とする前記（１）に記載の携帯機器保持具
（３）前記耳部と前記ベルト部との連結の中心を結んだ線が保持した携帯機器の下端から５／９から８／９の間の位置にくることを特徴とする前記（１）または（２）に記載の携帯機器保持具
（４）前記挿入口の前面側の長さは後面側の長さより長く形成されていることを特徴とする前記（２）または（３）に記載の携帯機器保持具
（５）前記後面部は曲げる力がかかっても平面を維持できるような剛性を有することを特徴とする（１）〜（４）のいずれかに記載の携帯機器保持具
（６）前記ベルト部または前記耳部のどちらか一方の端部は二重に形成されて留め具を有し、他方の端部には連結孔を有し、該連結孔を通して該留め具をとめることにより一方の端部が他方の端部を挟んだ状態で回動可能に連結されていることを特徴とする前記（１）〜（５）のいずれかに記載の携帯機器保持具
【発明の効果】
【０００７】
本発明の携帯機器保持具は、携帯機器を極めて容易に保持でき、保持された携帯機器は上方へ引き抜くことにより瞬時に使用できる。どのような服にも使用でき、衣類との一体感があり見栄えがよく、携帯機器の重量感を軽減でき、身体にフィットして邪魔にならず、様々な形状、サイズの携帯機器を安定して保持できる汎用性を有する。
【図面の簡単な説明】
【０００８】
【図１】本発明の第１の実施形態に係る携帯機器保持具の斜視図。
【図２】本発明の第１の実施形態に係る携帯機器保持具の正面図。
【図３】本発明の第１の実施形態に係る携帯機器保持具の上面図。
【図４】本発明の第１の実施形態に係る携帯機器保持具の保持部の展開図。
【図５】本発明の第１の実施形態に係る携帯機器保持具の使用状態を示す斜視図。
【図６】本発明の第１の実施形態に係る携帯機器保持具の使用状態を示す上面図。
【図７】本発明の第１の実施形態に係る携帯機器保持具の使用状態を示す側面図。
【図８】本発明の第２の実施形態に係る携帯機器保持具の斜視図。
【図９】本発明の第３の実施形態に係る携帯機器保持具の斜視図。
【図１０】本発明の第４の実施形態に係る携帯機器保持具の斜視図。
【発明を実施するための形態】
【０００９】
以下、本発明の詳細を図面を参照しながら説明するが、本発明は以下の実施形態に限定されるものではない。
【００１０】
（実施形態１）
図１は本発明の第１の実施形態に係る携帯機器保持具の斜視図であり、図２は同保持具の正面図、 図３は同保持具の上面図、図４は同保持具の保持部の展開図、図５は同保持具の使用状態を示す斜視図、図６は同保持具の使用状態を示す上面図、図７は同保持具の使用状態を示す側面図である。
【００１１】
本発明の第１の実施形態に係る携帯機器保持具１０は携帯電話やスマートフォン、ＰＤＡ、デジタルカメラ、携帯ゲーム、携帯音楽プレーヤー等の携帯機器を身につけて保持する携帯機器保持具であり、携帯機器の保持部１と、体に巻くベルト部２とからなる。保持部１は携帯機器を挟んで保持すべく対向する前面部３と後面部４と、前面部３と後面部４を繋ぐ底部５と、前面部３の左右に延びる耳部６ａと、後面部４の左右に延びる耳部６ｂとを有し、耳部６ａ、６ｂの先端部にはベルト部２との連結孔８を有し、この連結孔８にベルト部２が連結されて保持部１とベルト部２とで体に巻くことが可能な環を形成している。
【００１２】
本実施形態の保持部１は図４に示すように四隅を左右に延伸して形成した四つの耳部６ａ、６ｂを有する一枚のシート体からなり、６ａ、６ｂの先端部にはそれぞれ連結孔８を有する。図１〜３に示すようにこのシート体を二つに折って、携帯機器を保持する前面部３と後面部４と、前面部３と後面部４の下端を繋ぐ底部５と、前面部３と後面部４の左右に延びる耳部６を形成し、重なった前面部側の耳部６ａと後面部側の耳部６ｂの二つの連結孔８をベルト部２の端部の留め具７でとめることによって、上方に開口する広幅の携帯機器の挿入口９を形成すると共に、折り返した底部５の両サイドに左右方向に開口する一対の開口部１１を形成している。
【００１３】
保持部１（前面部、後面部、底部、耳部）は保持した携帯機器にあわせて、また使用時に身体に沿って曲がる可曲性または可撓性を有する素材で、皮革、布、繊維、合成樹脂、紙、金属、ゴム、シリコン等の単一または複合した薄いシート体、例えば鞄やポーチ等に使われているものが使用できる。伸縮性を有する素材とすると携帯機器の出し入れがしやすい。また、クッション性を有する素材を使用すると携帯機器を保護することができる。
【００１４】
底部５や耳部６に折れやすいように複数の折線を入れることにより、硬質の素材、例えば合成樹脂や金属も保持部１の素材として使用できる。また、前面部３と後面部４を木や金属、合成樹脂等の剛性材とし、底部５や耳部６を繊維や皮革等の柔軟な素材としてもよい。前面部３や後面部４を曲げる力がかかっても平面を維持できるような剛性を有する硬質な素材とすると保持した携帯機器を保護することができる。保持部１（前面部、後面部、底部、耳部）は平板に限らず、帯状体を組み合わせたもの、編み物、一部を厚地構造としたもの、メッシュ状やレース状に穴の開いたもの等としてもよく、携帯機器を挟んで保持することが可能なものであればよい。
【００１５】
保持部１を縁のほつれ処理を必要としない素材、例えば皮革、フェルト、不織布、シリコン、合成樹脂シートとすれば成型または型抜きした素材を二つに折り曲げて耳部６ａ、６ｂをとめるのみで保持部１が形成され、製造工程を大幅に減らした生産性の非常に高い保持具を作ることができる。
【００１６】
また、保持部１を紙や合成樹脂等の薄いシートにより形成すると表面に印刷がしやすく、多様なバリエーションの展開が容易で、意匠製の高い色柄、形状の保持部を安価に提供できる。表面に家庭用プリンタで印刷可能となる処理を施し、使用者が好みの写真やグラフィックをプリントできるようにしてもよい。
【００１７】
本実施形態では保持部１は挿入口９が広幅で底部５が狭幅で、左右に延びる耳部６から底部５にかけて徐々に幅が狭くなっている略Ｔ字形または略Ｙ字形の形状であるが、逆三角形等の形状でもよく、携帯機器を挿入できて保持部１から携帯機器が落ちない程度の大きさ、形状であればよい。長方形等の幾何学形の他、動物や植物、またはアート、文字、イラスト、キャラクター等の形あるいは柄としてもよく、販促品やギフト品と応用範囲が広く、多様な展開が可能である。
【００１８】
挿入口９は携帯機器を挿入可能な大きさ、開口部１１は携帯機器が抜け落ちない程の大きさであるが、挿入口９の幅は異なったサイズの携帯機器を保持できるように、また携帯機器の出し入れがし易いように大きめで、例えば保持する携帯機器の幅の１．２倍以上であることが好ましい。後述するように保持する携帯機器に対して大きめでも携帯機器保持具１０を体に巻いて使用時には耳部６が携帯機器の幅にあわせて曲がることにより、どのような携帯機器にも対応でき、携帯機器は非常に安定して保持される。また、本実施形態では底部５は携帯機器Ｋ１より狭幅であるが携帯機器より少し広幅としても安定して保持できる。
【００１９】
耳部６ａ、６ｂは前面部３と後面部４の上部の左右を延伸して形成したもので先端は幅狭で基端に向かって幅広に形成されている。このように構成するとベルト部２の引っ張る力が前面部３と後面部４に分散して伝わり、保持した携帯機器をより広い面で挟持することができるため安定して保持できる。本実施形態では回動時に干渉しないよう耳部６の先端部は連結孔８と同心円弧状に丸められた形状である。
【００２０】
連結孔８は留め具７を通してとめることが可能な大きさの円形の穴で、連結に耐える強度を有する。耳部６がゴム、シリコン等の強度のない素材の場合は連結孔８をハトメ等で補強するのが好ましい。
【００２１】
図１、２に示すように保持部１の挿入口９の後面側の縁４ｅは前面側の縁３ｅより高く形成されている。このように形成すると携帯機器の挿入時に後面部４がガイドとなり携帯機器を容易に挿入することが可能になる。本実施形態では後面側の縁４ｅを舌状に延伸して前面側より高くし、さらに前面側の縁３ｅを凹ませて低く形成しいるが、どちらか一方でもよい。
【００２２】
また、図３に示すように保持部１の挿入口９の前面側の長さは後面側の長さより長く形成されており、前面部３は後面部４から浮き上がって前方に膨らみ、間に空間がある。本実施形態では図４に示すように前面部の耳部６ａの左右の連結孔間の幅Ｄ３が後面部の耳部６ｂの連結孔間の幅Ｄ４より広い。このように形成すると体に巻いて保持部１が湾曲した時にも挿入口９が少し開いた状態となるため、携帯機器の挿入がしやすく、また携帯機器保持時にも後面部４が弛まずに保持できる。
【００２３】
保持部１は保持する携帯機器Ｋ１の長手方向の長さＤ１より短く形成されており、保持した携帯機器Ｋ１の上端の一部、好ましくは携帯機器Ｋ１の長手方向の長さＤ１の１／６以上が挿入口から露出するように構成されている。このように構成すると露出した部分をつまむことができ、取り出しが容易となる。
【００２４】
両サイドから底部までの縁が連続して閉じた、底部の両サイドに角を有する従来の箱状や袋状の収納具では角が携帯機器に比して大きすぎるとあそびができ、小さすぎると伸びたり皺ができるため収納する携帯機器のサイズや厚さ、形状に合わせた形状とする必要があったが、本実施形態のような保持部に耳部を有し、底の両サイドを切り取ったような角のない形状とすると、保持部１の底部５は狭幅で両サイドが開いているため保持した携帯機器の角が露出して携帯機器の幅や角の形状に関係なく、一つのサイズで多くの種類の携帯機器に対応できる。例えば図２に示すように携帯機器Ｋ１と大きさ、形状の異なる携帯機器Ｋ２も保持できるので保持する携帯機器のサイズ、形状を問わず汎用性がある。
【００２５】
また、折り返した底部５は両サイドが左右方向に開いているため、変形自在で保持した携帯機器下端部の形状や厚みに沿って湾曲してぴったりフィットする。また、底部５を押して保持した携帯機器を上方に押し出すこともできる。さらに、携帯機器の側面にある操作ボタンが操作でき、開口部１１を通して携帯機器の接続端子にイヤホンや充電ケーブル等の接続が可能となる。
【００２６】
ベルト部２は腰回りに巻いたり肩から斜めに掛けられるような長い帯状で、両端は耳部６と連結可能に構成されている。ベルト部２は腰等の身体に巻けるものであればよく、紐状またはチェーン状等でもよい。素材は通常の腰ベルトや鞄のショルダーストラップ等に使われる皮革、布、繊維、合成樹脂等が考えられるが、ゴム、シリコン等の伸縮性のある素材とすると装着時のフィット感が高く、保持部にテンションがかかり保持した携帯機器がより抜け落ちにくく、また出し入れも容易となる。
【００２７】
ベルト部２は長さ調節手段１２を有し、腰回りや肩から斜め掛け等、巻く部位に合わせて、長さ調節可能に構成されている。本実施形態では長さ調節手段１２はサスペンダーに使われるアジャスターであるが、コキ等の他の公知のものを用いてもよいし、バックル等でベルト部２を連結、解放可能に、かつ長さ調節可能に構成してもよい。
【００２８】
耳部６と連結するベルト部２の端部は二重に形成されて対向面に留め具７が取り付けられ、留め外し可能に構成されている。本実施形態ではベルト部２の一方の端部は革皮等よりなる板体をカン１５を通して二つ折りにして二重に、もう一方の端部は二つの板体でベルト部２の端部を挟んで接合して二重に構成されている。図１に示すように留め具７は雄部７ａと雌部７ｂが嵌合するスナップボタンとし、雄部７ａを耳部６ａ、６ｂの連結孔８を通し、雌部７ｂと嵌合してとめることにより保持部１とベルト部２が留め具７を軸としてベルト部２の端部が耳部６の端部を挟んだ状態で回動可能に連結されている。
【００２９】
保持部１とベルト部２を直接、または角カン等で回動不可に連結すると、肩や腰等に斜めに巻いた場合に挿入口の前面部側の縁が身体から浮き上がる一方、ベルト部の下辺側に引っ張る力が強く働くため、携帯機器を保持部が均等に挟持できず抜け落ちやすいが、回動可能とすると保持部とベルト部が自由に動くため、図７のように斜めに巻いても保持部の前面部側の縁３ｅは浮き上がることがなく身体に沿ってフィットし、また、携帯機器を保持部が均等に挟持し、安定した保持が可能となる。
【００３０】
留め具７はスナップボタンの他、ジャンパーホック、ボタン、ギボシ、ナスカン、フック、カラビナ等、他の留め具を使用してもよいが、ベルト部と保持部をベルト部の面と耳部の面に垂直な回動軸により回動可能に連結できることが可能なものが好ましい。
【００３１】
ベルト部２の端部と耳部６の端部に互いに係合する留め具を取り付けて連結してもよいが、ベルト部を引っ張る力が掛かると係合面が斜めになり外れやすいため、ベルト部と耳部の少なくともどちらか一方の端部は二重に形成され、他方の端部を挟んだ状態で回動するように連結する構成とするのが好ましい。本実施形態ではベルト部の端部を二重に形成しているが、逆に耳部を二重に形成してベルト部の端部を挟んで連結するように構成してもよい。
【００３２】
留め具により保持部とベルト部の連結は両端で取り外し可能に構成しているが、片端のみ取り外し可能としてもよく、また連結は外せないようにしてもよいが、両端で取り外し可能な構成とする保持部が取り外せて付け替え可能で、保持部とベルト部を自由に組み合わせることができるので好ましい。
【００３３】
図２に示すようにベルト部２と耳部６の連結の中心を結んだ線Ｌ１（本実施形態では留め具７の中心を結んだ線）が保持した携帯機器Ｋ１の下端から１／２から上端の間、好ましくは携帯機器Ｋ１の下端から５／９から８／９の間、より好ましくは携帯機器Ｋ１の下端から３／５から４／５の間の位置にくるようにベルト部２は保持部１と連結されている。
【００３４】
上記より上や下の位置にベルト部２が連結されていると、装着時に走る等の激しい運動をした時に保持部１がぶらぶら揺れて安定せず、保持部１が大きく揺れて上下逆さまになり、開口部９が下を向いて保持した携帯機器が落下することがある。試作での試験の結果、上記の位置とすると後述するように保持部１が携帯機器Ｋ１を上記連結位置を中心に挟持して身体側に引きつけるので携帯機器Ｋ１がぶらぶら揺れることなく非常に安定して保持できる。
【００３５】
この携帯機器保持具１０の使用方法を説明すると、図５、図７に示すように携帯機器保持具１０を腰部等の体に巻いて携帯機器Ｋ１を保持部１の挿入口９から挿入すと、図６に示すように、保持部１の左右の耳部６ａ、６ｂは挿入した携帯機器Ｋ１の幅にあわせて曲がり、携帯機器Ｋ１は前面部３と後面部４に挟まれて保持される。
【００３６】
従来の収納具は収納した携帯機器との間に隙間があると中で動いて安定しないため、収納具は携帯機器ぴったりか少し小さい大きさで出し入れがしにくかったが、本発明の保持具は耳部６を有し、挿入口９の幅が携帯機器Ｋ１の幅より広く、挿入口が大きく開き、さらに底部５の両サイドが開いているため携帯機器を斜めに挿入することも可能で携帯機器の出し入れが非常にしやすい。
【００３７】
携帯機器Ｋ１を保持して荷重が下方に掛かると、図６に示すようにベルト部２が保持部１（耳部６ａ、６ｂ）を左右に引っ張る力Ｆ１、Ｆ２が生じて、保持部１（前面部３と後面部４）が収納した携帯機器Ｋ１を前後両面から挾持する力Ｆ３、Ｆ４が発生する。この携帯機器Ｋ１を挾持する力Ｆ３、Ｆ４により蓋がなくても携帯機器Ｋ１が落ちないという効果を発揮する。
【００３８】
さらに、腰に巻いた携帯機器保持具１０に携帯機器Ｋ１の加重がかかると図７に示すように斜めに掛かり、保持部１は身体側に引き寄せられ、携帯機器Ｋ１を身体側に押し付ける力Ｆ５が発生し、携帯機器Ｋ１がぶらぶらせずに体に密着して非常に安定して保持することが可能になる。
【００３９】
従来の収納具はサイズがぴったりでないと収納物が中で動いて安定しなかったが、上記の携帯機器を挾持する力Ｆ３、Ｆ４と身体側に押し付けるＦ５が働き、さらに耳部６が身体のラインに沿って曲がることにより携帯機器がどのようなサイズでも中で動いたりすることがなく安定して保持できるため、保持部１は携帯機器のサイズぴったりである必要はない。よってワンサイズで様々なサイズ、形状、厚みの携帯機器を安定して保持でき、汎用性に優れる。
【００４０】
携帯機器Ｋ１を保持部１に左寄りに挿入した場合は左の耳部６ａの曲率が大ききくなり、上記の左右に引っ張る力Ｆ１、Ｆ２と身体側に押し付けるＦ５がかかると、携帯機器Ｋ１の左側の角に大きな力が、右寄りに挿入した場合は右側の角にに大きな力がかかるため、歩行等で体が動いて保持部１が動くことにより携帯機器Ｋ１が保持部１のほぼ中央に移動して安定して保持される。
【００４１】
また、携帯機器Ｋ１を保持部１に斜めに挿入しても歩行等で体が動いて保持部１が動くと携帯機器Ｋ１の荷重により携帯機器Ｋ１の底面と保持部１の底部５の面が平行に接するようにまっすぐに保持される。
【００４２】
ベルトに通したり、カラビナ、フック等で衣類に取り付ける収納具は、取り付けた場所一点に荷重がかかるため、取り付け場所が変形したり下方に引っ張られて重量感を感じるが、本発明の携帯機器保持具は腰等の身体に巻いて使用するので、保持した携帯機器の重量はベルト部が身体を締め付ける方向の力に換わり、荷重が分散されて携帯機器の重量感を軽減できる。
【００４３】
底の両サイドに角を有する袋状や側面部を有する箱状の従来の収納具では、携帯機器を収納すると平面となるため、携帯機器より一回り大きい収納具の角が身体の面から大きく浮き上がり、引っ掛かりたりして邪魔になり見栄えも悪いが、本発明のような保持部に側面部がなく耳部を有し、底部の両サイドを切り取った角のない構成とすると、保持部１の底部５は狭幅で両サイドが開いているため、身体の面から大きく浮き上がらず、また、図６に示すように耳部６が曲がって携帯機器の平面と身体の曲面とをなだらかに連続する面で繋ぐため、身体からの突起物にならないので邪魔にならず、歩行時に引っ掛かったりしないので安全である。また、身体にフィットして装着感に優れ、見栄えも良い。
【００４４】
携帯機器Ｋ１を取り出す時は携帯機器Ｋ１を上方に引き抜くと下方に掛かっていた荷重がぬけて保持部１が携帯機器Ｋ１を挟持する力がなくなるため携帯機器Ｋ１は瞬時に容易に取り出せる。携帯機器保持具は身体の面に沿ってほぼ面一となり、突起物がなく、じゃまにならず、嵩張らない。
【００４５】
（実施形態２）
図８は本発明の第２の実施形態に係る携帯機器保持具２０の斜視図である。図８に示すように本実施形態は実施形態１の携帯機器保持具の保持部の耳部の先端部を別部材としたものである。つまり前面部２３と後面部２４の上部を左右に延伸して形成した耳部２６ａ、２６ｂの先に薄板状の先端部２６ｃを有する。先端部２６ｃは耳部２６ａと耳部２６ｂの間に挟んで縫合等により接合されている。
【００４６】
本実施形態の保持部２１は長手方向の両端部が広幅で中間部が狭幅のシート体を二つに折ることにより、携帯機器を挟んで保持する対向する前面部２３と後面部２４と、前面部と後面部を繋ぐ底部２５と、左右に延びる耳部２６ａ、２６ｂを形成し、重なった広幅の両端部の左右の両サイド（耳部２６ａ、２６ｂ）を、耳部の先端部２６ｃとなる薄板体を挟んで縫合等でとめることによって、上方に開口する広幅の携帯機器の挿入口２９を形成すると共に、折り返した底部２５の両サイドに左右方向に開口する一対の開口部２２を形成している。
【００４７】
耳部の先端部２６ｃは薄板状で連結に耐える強度を有し、使用時に身体に沿って曲がる可曲性または可撓性を有する素材で、例えば合成樹脂、繊維、金属等が使用できる。
【００４８】
耳部の先端部２６ｃにはベルト部２との連結孔２８を有し、ベルト部２の端部に設けた留め具７をこの連結孔２８を通してとめることで耳部２６にベルト部２が回動能可に連結されている。本実施形態では耳部の先端部２６ｃを別部材としたが、前面部側の耳部２６ａか後面部側の耳部２６ｂのどちらか一方を延伸させて先端部としてもよい。
【００４９】
本実施形態のような構成とすると耳部２６とベルト部２との連結部の厚さををより薄くすることができる。また、ベルト部２と連結される耳部２６の先端部２６ｃは別部材であるため、保持部２１の素材の自由度が高まる。また、前面部側の耳部２６ａと後面部側の耳部２６ｂは縫合等で接合されて保持部２１の両サイドが上下に広い長さでとめられているため携帯機器をより安定して保持できる。
【００５０】
その他の構成、作用及び効果は実施形態１と同様である。
【００５１】
（実施形態３）
図９は本発明の第３の実施形態に係る携帯機器保持具の斜視図である。本実施形態の携帯機器保持具３０は携帯機器の保持部３１と、体に巻くベルト部３２とからなる。保持部３１は携帯機器を挟んで保持すべく対向する前面部３３と後面部３４と、前面部３３と後面部３４を繋ぐ底部３５と、前面部３３の上部の左右に延びる耳部３６ａと後面部３４の上部の左右に延びる耳部３６ｂとを有する。耳部３６ａ、３６ｂの先端部はベルト部３２と連結されてとめられ、携帯機器の挿入口３９と、底部３５の左右に一対の開口部３８を形成している。
【００５２】
前面部３３は皮革、布、繊維、合成樹脂、ゴム、シリコン等の単一または複合した薄い板状体である。保持した携帯機器にあわせて、また使用時に身体に沿って曲がる可曲性または可撓性を有する素材であることが好ましい。
【００５３】
後面部３４は金属、合成樹脂等の曲げる力がかかっても平面を維持できるような剛性を有する硬質の薄い平板である。前面部３３と同じ部材とし、剛性材を芯材等として補強したものであってもよい。また、後面部３４全てが剛性材である必要はなく一部、例えば携帯機器の幅の部分のみでもよい。
【００５４】
使用時に保持した携帯機器が身体に押し付けられると、ジーンズのリベット等の金具やポケット等の生地の合わせ目で携帯機器の筐体や画面等が破損する可能性があるが、本実施形態のように後面部３４を剛性を有する平板とすると後面部３４は携帯機器と平面で接し、身体に強く押し付けられても一点に力がかからないので携帯機器の画面等を保護することができる。さらに、使用時には耳部３６が身体に沿って曲がる一方、後面部３４は曲がらないため耳部３６が携帯機器を保持部３１の中央に移動させ、安定して保持できる。
【００５５】
底部３５は前面部３３と後面部３４の下端に接着、縫合等により接合され、前面部３３と後面部３４を繋ぐシート状の素材で、保持した携帯機器の底の形状にあわせて曲がる皮革、繊維等の可曲性の部材である。前面部３３と後面部３４の下端同士を縫合等で接合して底部としてもよい。
【００５６】
耳部３６は前面部３３と後面部３４の左右の端部に接着、縫合等により接合され、左右に延びる可曲性の部材である。保持した携帯機器の出し入れがしやすいように伸縮性を有する素材としてもよい。
【００５７】
ベルト部は実施形態１と同様のものであるが、長さ調節手段５２は腰ベルトに一般に用いられるバックルとし、ベルト部を長さ調節可能、かつ連結、解放可能に構成されている。
【００５８】
ベルト部３２の端部と耳部３６ａ、３６ｂの端部には連結孔を有し、該連結孔を通して留め具３７でとめることにより、前面部側の耳部３６ａの端部と後面部側の耳部３６ｂの端部とがベルト部３２の端部を挟んだ状態で回動自在に連結されている。本実施形態では留め具３７はカシメとし、保持部３１とベルト部３２は取り外せない構成としているが、実施形態１のようなスナップボタン等の他の留め具として取り外し可能な構成としてもよい。
【００５９】
その他の構成、作用及び効果は実施形態１と同様である。
【００６０】
（実施形態４）
図１０は本発明の第４の実施形態に係る携帯機器保持具の斜視図である。本実施形態の携帯機器保持具４０は携帯機器の保持部４１と、体に巻くベルト部４２とからなる。保持部４１は携帯機器を挟んで保持すべく対向する前面部４３と後面部４４と、前面部４３と後面部４４を繋ぐ底部４５と、前面部４３の左右に延びる耳部４６ａと後面部４４の左右に延びる耳部４６ｂを有する。耳部４６ａ、４６ｂの先端部はベルト部４２と連結され、保持部４１とベルト部４２とで体に巻くことが可能な環を形成している。
【００６１】
本実施形態の保持部４１は実施形態１と同様、四隅を左右に延伸して形成した四つの耳部４６ａ、４６ｂを有する一枚のシート体からなり、このシート体を二つに折って、携帯機器を保持する前面部４３と後面部４４と、前面部４３と後面部４４の下端を繋ぐ底部４５と、前面部４３と後面部４４の左右に延びる耳部４６を形成し、前面部側の耳部４６ａと後面部側の耳部４６ｂを重ねてとめることによって、上方に開口する広幅の携帯機器の挿入口４９を形成すると共に、折り返した底部４５の両サイドに左右方向に開口する一対の開口部４８を形成している。
【００６２】
ベルト部４２と保持部４１は、保持部側ではカン４７を通して二つ折りにした皮革等の板状の部材５３で前面部側の耳部４６ａと後面部側の耳部４６ｂの端部を挟んで縫合等でとめて、ベルト部側も同様にカン４７を通して二つ折りにした板状の部材５４でベルト部４２の端部を挟んでとめることにより、保持部４１とベルト部４２はカン４７を介して回動可能に連結されている。
【００６３】
本実施形態では保持部４１とベルト部４２はＤカンを介して連結されているがこれに限定されることはなく、丸カン等でもよく、他にも保持部とベルト部を連結できるものであればよい。また、ベルト部と耳部は一体的に形成されたものであってもよいが、ベルト面と耳部面に垂直な回動軸により回動可能に連結すると斜めにかけた場合に保持部が身体の面に密着し携帯機器が抜け落ちにくく好ましい。
【００６４】
ベルト部は実施形態１と同様のものであるが、長さ調節手段５２は腰ベルトに一般に用いられるバックルとし、ベルト部を長さ調節可能、かつ連結、解放可能に構成されている。
【００６５】
本実施形態のような構成とすると耳部４６の端部が上下に広い範囲で縫合等により接合されてとめられているので保持した携帯機器が斜めになりにくく、保持部に安定して保持される。また、メッシュ状、編み物、帯状体等の単体では強度がなくベルト部との連結が難しい素材も保持部として使用できる。
【００６６】
その他の構成、作用及び効果は実施形態１と同様である。
【００６７】
上記実施形態１〜４の本発明の携帯機器保持具は今までの収納具にあった蓋がなく、蓋の開け閉めの必要がなく、挿入口が大きいので携帯機器の出し入れがしやすい。さらに側面部がなく左右に延びる耳部にベルト部が連結されているため、保持部が様々なサイズ、形状、厚みの携帯機器にあわせて変形し、携帯機器をしっかりと安定して保持でき、汎用性に優れる。構造を簡略化でき部品数が少なく、縫製行程を減らすことで製造に要する工程及びコストを低減でき、生産性の高い保持具を提供できる。
【００６８】
本発明の携帯機器保持具はスカートやワンピース等、どのような服にも使用できて身体にフィットして装着感に優れる。従来の袋状や箱状の収納具と違い側面がなく、薄くて嵩張らず、衣類との一体感があり見栄えがよく、ファッション性が高いため女性でも快適に携帯機器を身につけて持ち歩くことができる。
【符号の説明】
【００６９】
１０、２０、３０、４０  携帯機器保持具
１、２１、３１、４１  保持部  
２、３２、４２  ベルト部  
３、２３、３３、４３  前面部
４、２４、３４、４４  後面部
５、２５、３５、４５  底部
６、２６、３６、４６  耳部
７、３７  留め具
８、２８  連結孔
９、２９、３９、４９  挿入口
１１、２２、３８、４８  開口部
１２、５２  長さ調節手段
Ｋ１、Ｋ２  携帯機器
Ｌ１  連結の中心を結んだ線
Ｆ１、Ｆ２  左右に引っ張る力
Ｆ３、Ｆ４  携帯機器を挟持する力
Ｆ５  身体側に押し付ける力
Ｂ１  身体のライン
【図１】
2014090940.tif 000003
【図２】
2014090940.tif 000004
【図３】
2014090940.tif 000005
【図４】
2014090940.tif 000006
【図５】
2014090940.tif 000007
【図６】
2014090940.tif 000008
【図７】
2014090940.tif 000009
【図８】
2014090940.tif 000010
【図９】
2014090940.tif 000011
【図１０】
2014090940.tif 000012